(57)【特許請求の範囲】
【請求項１】
回路面に取付けられた相手コネクタに対し、該回路面と略直角をなす方向で嵌合し、嵌
合方向を軸線とする嵌合筒状部と、該軸線に対して略直角な方向に設けられたケーブルを
保護する保護部とを有しているＬ型電気コネクタを、相手コネクタから抜去するための抜
去操作部を有するコネクタ用工具において、ハンドル部と、該ハンドル部から延出して縦
方向に延びる脚部の先端部に該延出方向から横方向に突出する係合部により形成される抜
去操作部とを有し、該係合部と上記ハンドル部との間隔が上記軸線方向での保護部の高さ
寸法より大きく、かつ上記脚部の延出方向における係合部の高さ寸法が上記回路面と上記
保護部との間隔よりも小さく、該係合部を回路面と保護部との間に挿入し、上記係合部を
傾けることで相手コネクタから抜去可能とすることを特徴とする電気コネクタ用工具。
【請求項２】
ハンドル部から延出する脚部は、対をなして延びており各脚部に設けられた係合部同士
の対向端間隔がケーブルの直径寸法より大きく保護部の幅寸法よりも小さいこととする請
求項１に記載の電気コネクタ用工具。
【請求項３】
係合部は、ケーブルの延出方向に沿う幅寸法が高さ寸法よりも大きいこととする請求項
１又は請求項２に記載の電気コネクタ用工具。
【請求項４】
抜去操作部とは反対側でハンドル部から延びＬ型電気コネクタを取り上げるための保持部をさらに備え、該保持部は、ハンドル部から対を成して延びて少なくとも一つが弾性変形可能なフィンガ部と、両フィンガ部の間でフィンガ部よりも短く延びるストッパ部とを有し、上記一対のフィンガ部の先端には互いに近づく方向の突起が設けられていることとする請求項１に記載の電気コネクタ用工具。
【請求項５】
回路面に取付けられた相手コネクタに対し、該回路面と略直角をなす方向で嵌合し、嵌合方向を軸線とする嵌合筒状部と、該軸線に対して略直角な方向に設けられたケーブルを保護する保護部とを有しているＬ型電気コネクタを相手コネクタから抜去する方法において、工具のケーブルの延出方向に沿う幅寸法が高さ寸法よりも大きい係合部が設けられた工具の該係合部を、上記Ｌ型電気コネクタの保護部と回路面との間に挿入した後、該係合部の一部分を上記回路面に当接させ、かつ他の部分を上記保護部に当接させるように工具を傾斜することで、該保護部に対して上方への力を印加してＬ型電気コネクタを抜去する
ことを特徴とする電気コネクタの抜去方法。
【請求項６】
工具はハンドル部と該ハンドル部から延出する一対の脚部の先端部から対向するように
突出する係合部により形成される抜去操作部とを有し、該抜去操作部の一対の係合部がＬ
型電気コネクタに結線されているケーブルを跨ぐようにして、該係合部が回路面に近接あ
るいは当接するまで下降せしめ、さらに該係合部がＬ型電気コネクタの保護部の下にくるようにケーブルの長手方向に該工具を移動せしめ、しかる後に工具の上端側をケーブルの延出方向に傾けて、工具の係合部の下縁を回路面に当接させ、かつ上縁を上記保護部の下面に当接せしめることにより、該保護部に対して上方への力を印加してＬ型電気コネクタを抜去することとする請求項５に記載の電気コネクタの抜去方法。
【発明の詳細な説明】
【技術分野】
【０００１】
本発明は、回路面に対して取付けられた相手コネクタに対してＬ型電気コネクタを抜去及び嵌合するための工具及びその抜去方法に関する。
【背景技術】
【０００２】
Ｌ型電気コネクタ（以下、「Ｌ型コネクタ」という）は、相手コネクタとの嵌合のための嵌合筒状部と、該Ｌ型コネクタに結線されたケーブルを保持かつ保護する保護部とを有しており、該保護部はケーブルがコネクタ嵌合方向に対し直角な方向、すなわちＬ型をなして形成されている。上記嵌合筒状部とこれに対し直角な方向に延びる保護部とは、金属板を加工して、一体に作られており、上記嵌合筒状部の上面には直径方向に張り出す肩部が設けられている。
【０００３】
相手コネクタは回路基板等の回路面に取りつけられていて、上記Ｌ型コネクタが相手コネクタと嵌合すると、上記ケーブルは回路面に沿うようになる。
【０００４】
かかるＬ型コネクタは、コネクタがきわめて小型化されてきている現状では、このＬ型コネクタもケーブルも回路面に付着しているかのごとくに相手コネクタに嵌合していて、その抜去作業がきわめてやりにくい。さりとて、ケーブルを摘んでＬ型コネクタを持ち上げると結線部分でＬ型コネクタを傷めてしまう。
【０００５】
そこで、特許文献１は、このような抜去に好都合であるとした工具を提案している。
【０００６】
この特許文献１の工具５０は、添付図面の図７（Ａ），（Ｂ）のごとく操作用のハンドルとしての胴部５１に二つの脚状部５２を延出して設け、その先端に対向せる爪状部５２Ａを形成している。使用時には、この脚状部５２でＬ型コネクタＣの保護部Ｃ１を跨ぐように配した後、これをＬ型コネクタＣの嵌合筒状部Ｃ２の方へ移動させて、上記爪状部５２Ａが該嵌合筒状部Ｃ２の上面に張り出して設けられた肩部Ｃ３の下にくるようにした後、工具５０を引き上げることにより爪状部５２Ａで肩部Ｃ３を引っかけてＬ型コネクタＣを回路基板Ｐに取付けられている相手コネクタＣ’から抜去することとしている。
【特許文献１】特開２００４−２２１８１
【発明の開示】
【発明が解決しようとする課題】
【０００７】
しかしながら、特許文献１の工具を用いたときには、Ｌ型コネクタを損傷してしまう虞れがある。また、この特許文献１の工具はＬ型コネクタの取付けについては何ら考慮されていない。
【０００８】
Ｌ型コネクタは嵌合筒状部と保護部とが比較的薄い金属板の加工により一部材として一体形成されている。肩部も嵌合筒状部と一体である。この肩部は嵌合筒状部から半径方向に張り出しているので、上記工具の爪状部の引っかけには好都合であるが、その際、肩部が上述のように張り出しているということは、肩部が引っかけられたときそれだけ大きな曲げモーメントを受けるということになる。しかも、工具の引き上げは衝撃的に行われることも多く、薄い金属板を屈曲して作られた肩部は曲げによる損傷を受け易くなるし、Ｌ型コネクタのケーブルの結線先を損傷したり、ケーブルの周囲に配置された他の部品を損傷する虞れもある。
【０００９】
本発明は、このような不都合を解消できるＬ型コネクタ用工具及びこれを用いたＬ型コネクタ抜去方法を提供することを目的とする。
【課題を解決するための手段】
【００１０】
本発明はＬ型コネクタの相手コネクタに対しての抜去のための工具そして抜去方法を提供する。  
【００１１】
Ｌ型コネクタは、回路面に取付けられた相手コネクタに対し、該回路面と略直角をなす方向で嵌合し、嵌合方向を軸線とする嵌合筒状部と、該軸線に対して略直角な方向に設けられたケーブルを保護する保護部とを有している。またかかるＬ型コネクタは、上記嵌合筒状部の上部に直径方向に張り出して設けられた肩部とを有している。
【００１２】
このようなＬ型コネクタの抜去のための本発明による工具そして方法は、以下のごとくである。
【００１３】
＜工具＞
Ｌ型コネクタの抜去のための本発明による工具は、ハンドル部と、該ハンドル部から延出して縦方向に延びる脚部の先端部に該延出方向から横方向に突出する係合部により形成される抜去操作部とを有し、該係合部と上記ハンドル部との間隔が上記軸線方向での保護部の高さ寸法より大きく、かつ上記脚部の延出方向における係合部の高さ寸法が上記回路面と上記保護部との間隔よりも小さく、係合部を回路面と保護部との間に挿入し、上記係合部を傾けることで相手コネクタから抜去可能とすることを特徴としている。
【００１４】
回路面に取りつけられている相手コネクタに嵌合しているＬ型コネクタを該相手コネク
タから抜去するときには、上記工具の係合部を上記回路面と上記保護部との間に挿入し、
係合部を傾けるように工具を操作し、この係合部が上記保護部を上方へ押し上げて、Ｌ型
コネクタと相手コネクタとのロックを解除し、該Ｌ型コネクタの抜去が可能となる。なお
、本発明において抜去とは、Ｌ型コネクタを相手コネクタから完全に分離してしまうこと
のみならず、ロック解除の状態で容易に分離できるようになっていることを含んでいる。
【００１５】
このような本発明の工具による抜去操作では、工具の係合部から抜去のための力を受け
るＬ型コネクタの部位は保護部であり、ケーブルを捲回圧着していて強度が高い。しかも
上記力は引き上げ力でなく押し上げ力であって静的に印加できる。したがって、衝撃力を
伴わないのでＬ型コネクタのみならず、周辺部品を傷めることがない。
【００１６】
かかる工具において、ハンドル部から延出する脚部は、対をなして延びており各脚部に
設けられた係合部同士の対向端間隔がケーブルの直径寸法より大きく保護部の幅寸法より
も小さいこととする形態にできる。この場合、Ｌ型コネクタの抜去は両方の脚部に設けられた係合部によってなされる。係合部は、ケーブルの延出方向に沿う幅寸法が高さ寸法よりも大きいことが好ましい。
【００１７】
次に、工具は、Ｌ型コネクタの抜去のみならず、取付けにも用いられるようにすることができる。そのためには、工具は抜去操作部に加え、これとは反対側に保持部をハンドル部と一体にさらに備える。上記保持部は、ハンドル部から対を成して延びて少なくとも一つが弾性変形可能なフィンガ部と、両フィンガ部の間でフィンガ部よりも短く延びるストッパ部とを有し、上記一対のフィンガ部の先端には互いに近づく方向の突起が設けられている。
【００１８】
かかる工具でＬ型コネクタを相手コネクタへ嵌合させる際には、先ず、用意されている
Ｌ型コネクタに対し、ストッパ部が該Ｌ型コネクタの嵌合筒状部の上部に位置する蓋部の上面に当接するまで保持部をＬ型コネクタに当てると、フィンガ部の突起がＬ型コネクタの肩部に係止する。この状態で、該Ｌ型コネクタを相手コネクタの上方位置へもたらした後、該相手コネクタへ嵌合せしめる。しかる後、工具を引き上げれば、コネクタ同士の嵌合力が工具と肩部との係止力よりも大きいために、Ｌ型コネクタが相手コネクタと嵌合したまま工具がＬ型コネクタから外れる。このような保持部はＬ型コネクタが小型で指で摘んで扱うことが困難な場合に特に好都合である。
【００１９】
このような本発明の工具では、ハンドルに対し一方の端部に抜去操作部がそして他方の
端部に保持部を設けるようにするならば、一つの工具で抜去そして嵌合ができて便利である。
【００２０】
＜抜去方法＞
本発明において、Ｌ型コネクタの相手コネクタからの抜去する本発明方法は、工具のケ
ーブルの延出方向に沿う幅寸法が高さ寸法よりも大きい係合部が設けられた工具の該係合
部を、上記Ｌ型コネクタの保護部と回路面との間に挿入した後、該係合部の一部分を上記回路面に当接させ、かつ他の部分を上記保護部に当接させるように工具を傾斜することで、該保護部に対して上方への力を印加してＬ型コネクタを抜去することを特徴とする。
【００２１】
工具の抜去操作部がハンドル部から延出して一対の脚部を有し、これらの脚部先端部か
ら対向するように突出して係合部を有している場合には、該抜去操作部の一対の係合部が
Ｌ型コネクタに結線されているケーブルを跨ぐようにして、該係合部が回路面に近接あるいは当接するまで下降せしめ、さらに該係合部がＬ型コネクタの保護部の下にくるようにケーブルの長手方向に該工具を移動せしめ、しかる後に工具の上端側をケーブルの延出方向に傾けて、工具の係合部の下縁を回路面に当接させ、かつ上縁を上記保護部の下面に当接せしめることにより、該保護部に対して上方への力を印加してＬ型コネクタを抜去する。
【発明の効果】
【００２２】
本発明は、以上のごとく、工具の係合部をＬ型コネクタの保護部と回路面との間にもたらした後、工具を傾けることにより、係合部の縁で上記保護部をもち上げるようにしたので、強度の高い保護部に対して比較的大きな力を静的に印加することができ、Ｌ型コネクタを傷めることなく、しかも確実に抜去できるという効果を得る。また、小型のＬ型コネクタであっても相手コネクタとの嵌合の際に容易に取り上げて嵌合ができる。
【発明を実施するための最良の形態】
【００２３】
以下、添付図面の図１ないし図６にもとづき、本発明の実施形態を、本発明の工具を用
いる対象たるＬ型コネクタと共に説明する。
【００２４】
先ず、対象のＬ型コネクタは、図１（Ａ）に見られるごとく、回路面Ｐに取りつけられ
た相手コネクタ（図示せず）への嵌合方向ＡとケーブルＣの延出方向Ｂとが略直角をなしていて、これがＬ型コネクタと称される所以である。
【００２５】
図１に示されるＬ型コネクタ１０は、相手コネクタとの嵌合のための上記方向Ａに軸線
をもつ嵌合筒状部１１と、該嵌合筒状部１１から上記軸線に対して略直角方向に延びてケ
ーブルＣを直接もしくは間接的に保持して保護する保護部１２とを有している。上記嵌合
筒状部１１と保護部１２とは、金属板を成形して一体に作られている。上記嵌合筒状部１
１は外部導体をなしていて、相手コネクタの対応外部導体と嵌合した際に、相手コネクタ
のロック溝と係合して抜け防止を図る環状のロック突部１１Ｂが内周面に設けられている
。
【００２６】
上記嵌合筒状部１１の内部には、中心導体１３を支持する誘電体１４が保持されている
。
【００２７】
上記嵌合筒状部１１には、その上部の周方向の一箇所で屈曲形成された蓋部１５が設けられていて該嵌合筒状部１１を覆っている。この蓋部１５は上記嵌合筒状部１１の半径方向で両側に延びかつ下方へ屈曲されて肩部１６を形成している。上記嵌合筒状部１１は、その側部のケーブルＣの延出方向位置で周方向に間隔をもった腕状部１１Ａが設けられて、該ケーブルＣに沿って延びている。
【００２８】
上記保護部１２は、上記蓋部１５からケーブルＣの延出方向に延び該ケーブルＣを一部で直接そして他部で間接的に包囲して保護している。例えば、本実施形態では、保護部１２は、上記嵌合筒状部１１に近い部分に第一保護部１２Ａ、そして遠い方に第二保護部１２Ｂを有している。第一保護部１２Ａは、誘電体１４と一体で上記嵌合筒状部１１の外方へケーブルＣの方向へ延出している延出部１４Ａ及び上記腕状部１１Ａを包囲保持しており、その断面は矩形をなしている。第二保護部１２ＢはケーブルＣを包囲しかつ若干の圧潰を受けて該ケーブルＣを直接保持し、その断面は略円形をなしている。
【００２９】
次に、本実施形態の工具２０は、図２（Ａ）に見られるように、金属板部材を、その板
面をそのまま維持して外形づけされている。
【００３０】
工具２０は、図２（Ａ）にて全体として左右に長く、その中央部の上下縁に、作業者に
よる摘み操作を容易とするように凹み２１Ａが形成されたハンドル部２１を有している。
工具２０は使用時に縦方向に延びる姿勢で用いられるので、図２（Ａ）で左右方向（長手
方向）は縦方向となり上下方向が横方向となる。このハンドル部２１は、工具の摘み操作
中に撓まないような剛性を有している。該ハンドル部２１の左部には、段状に細くなって
延長されている延長部２２が設けられ、この延長部２２の左方に抜去操作部２３が設けら
れている。該抜去操作部２３は、上記延長部２２から平行に延出する二つの脚部２４と、
該脚部２４の先端で互いに近づく方向に突出した係合部２５とを有している。
【００３１】
上記抜去操作部２３は、図２（Ｂ）の拡大図に見られるように、係合部２５とハンドル
部２１の延長部２２との間隔ｈ１がＬ型コネクタ１０の保護部１２の高さ寸法、例えば図
１では高さ寸法の最大値Ｈ１よりも大きく、脚部２４の延出方向での係合部２５の寸法ｈ
２が上記保護部１２と回路面Ｐとの間隔Ｈ２よりも小さく、また、上記係合部２５同士間
の間隔ｄがケーブルＣの直径Ｄよりも若干大き目に設定されている。さらには、上記係合部２５は、ケーブルＣの延出方向での幅寸法が上記寸法ｈ２よりも大きく設定されている。
【００３２】
次に、ハンドル部２１からは右方に向けて延長して保持部２６が設けられている。該保
持部２６は平行に延びる二つのフィンガ部２７と、該フィンガ部２７の先端で互いに近づ
く方向に設けられた突起２８と、両フィンガ部２７の間にフィンガ部２７よりも短く設けられたストッパ部２９とを有している。
【００３３】
上記保持部２６は、図２（Ｃ）の拡大図に見られるように、フィンガ部２７とストッパ部２９との間に長いスリット２９Ｂが形成されていて、両フィンガ部２７は弾性を有し、その間隔が弾性的に拡大可能となっている。上記両フィンガ部２７に設けられた突起２８同士間の自由端での間隔ｆは、図１（Ｂ）でのＬ型コネクタ１０の両側肩部１６間の距離Ｆよりも若干小さく、上記突起２８とストッパ部２９の端面２９Ａとの距離ｋが図１（Ａ）でＬ型コネクタ１０の蓋部１５の上面と肩部１６の下面との距離Ｋとほぼ等しく設定されている。
【００３４】
上記突起２８の突出量そしてフィンガ部２７の弾性は、該突起２８とＬ型コネクタ１０の肩部１６との係合を解除するのに要する力がＬ型コネクタ１０と相手コネクタ３０のロックを解除するのに要する力よりも小さくなるように設定されている。
【００３５】
このような本実施形態の工具２０を用いたＬ型コネクタの抜去そして相手コネクタ３０への嵌合は次の要領で行われる。
【００３６】
＜抜去＞
図３（Ａ）において、相手コネクタ３０は回路基板等の回路面Ｐに取りつけられている
。該相手コネクタ３０は外部導体の嵌合筒状部３１が外周面に環状のロック溝３１Ａを有
していて、上記Ｌ型コネクタ１０の対応ロック突部１１Ｂと係合してロックがなされてい
る。
【００３７】
（１）かかるＬ型コネクタ１０を相手コネクタ３０から抜去するには、先ず、工具２０の抜去操作部２３が下向きとしてハンドル部２１を摘み、両脚部２４でケーブルＣを跨ぐように該工具２０を回路面に当接もしくは至近するまで降下せしめる（図３（Ａ），（Ｂ）二点鎖線の矢印で示す状態）。この状態で脚部２４の先端に設けられた係合部２５はケーブルＣの下側に位置している。
【００３８】
（２）次に、該工具２０をケーブルＣに沿ってＬ型コネクタ１０の方向へ移動させ、上記係合部２５がＬ型コネクタ１０の保護部１２、特に第一保護部１２Ａの下側位置へもたらす（図３（Ａ），（Ｂ）における実線位置）。
【００３９】
（３）しかる後に、上記工具２０の上端側、すなわち、不使用状態にある保持部２６が設けられている端部側をケーブルＣの延出方向へ傾斜させる。工具２０の係合部２５は、ケーブルＣの延出方向の下縁が回路面Ｐと接触している部分を支点として回転し、Ｌ型コネクタ１０寄りの上縁が上昇して、上記Ｌ型コネクタ１０の保護部１２の下面に抜去のための上向きの力が作用し、図４（Ａ），（Ｂ）そして（Ｃ）のように次第にＬ型コネクタ１０と相手コネクタ３０とのロックが解除し、外れる。抜去時にはＬ型コネクタ１０の嵌合筒状部１１を弾性的に拡径させるが、嵌合筒状部１１を周方向に開放して拡径に寄与する腕状部１１Ａの付近に力を加えるのが好ましい。上記工具２０は、図４（Ａ）〜（Ｃ）に見られる方向に傾斜させたが、保護部１２が第二保護部１２Ｂでも十分な強度を有しているときには、逆方向に傾斜させて、第二保護部１２Ｂに抜去のための力を作用させることもできる。
【００４０】
＜嵌合＞
相手コネクタ３０に対し、Ｌ型コネクタ１０を嵌合させるときには、工具２０を上下反
転して、保持部２６を用いる。
【００４１】
（１）先ず、上記保持部２６がＬ型コネクタ１０の肩部１６の上方位置にくるように工
具２０をもたらし（図５（Ａ）参照）、この位置から工具２０を降下させる（図５（Ｂ）
参照）。二つのフィンガ部２７は肩部１６の上縁に当接して弾性開脚変位してそのまま降
下し、突起２８が肩部１６の下側にきたときにフィンガ部２７が原形に向けて撓み変位が
減少して、上記突起２８が肩部１６の下縁と係止する。このとき、ストッパ部２９の端面
２９Ａが上記Ｌ型コネクタの蓋部１５の上面に当接するので、工具２０はこれ以上降下しない。かくして、保持部２６はＬ型コネクタ１０を保持する。
【００４２】
（２）Ｌ型コネクタ１０を保持した状態で、工具２０を相手コネクタ３０の上方位置へもたらす（図５（Ｃ）参照）。
【００４３】
（３）しかる後、工具２０を降下してＬ型コネクタ１０を相手コネクタ３０に嵌合させる。Ｌ型コネクタ１０と相手コネクタ３０とは、それらのロック突部１１Ｂとロック溝３１Ａとで係止し合ってロック状態となる（図５（Ｄ）参照）。
【００４４】
（４）最後に、工具２０を引き上げる（図５（Ｅ）参照）。工具２０のフィンガ部２７
に設けられた突起２８と上記Ｌ型コネクタ１０の肩部１６における係止力は、上記ロック溝３１Ａとロック突部１１Ｂとのロック嵌合力よりも小さく設定されているので、Ｌ型コネクタ１０と相手コネクタ３０がロック状態を維持した状態で工具２０は上記肩部１６から外れる。かくして、Ｌ型コネクタ１０の相手コネクタ３０への嵌合作業が終了する。
【００４５】
本発明は、図２に示された工具によらずとも、他の変形形態の工具によっても実施可能
である。例えば、図６の工具２０にあっては、抜去操作部２３Ａは、一つの脚部２４Ａを
有しているのみである。この脚部２４Ａの先端から係合部２５Ａが突出している。該係合
部２５Ａの突出量は、図２のものに比し比較的大きく、好ましくはケーブルＣの半径寸法
以上である。この突出量は、不必要に大きくない限り、その限度はない。
【００４６】
この図６の工具によると、係合部２５ＡをＬ型コネクタ１０のケーブルＣの側方から該ケーブルＣの下方に挿入してそれからＬ型コネクタ１０の保護部１２の下方位置まで移動してもよいが、ケーブルの側方から直接に保護部１２の下方位置へもたらすこともでき、作業が簡単となる。この際の係合部２５Ａの寸法ｈ２は第一保護部１２Ａと回路面Ｐとの間隔よりも小さければよい。
【図面の簡単な説明】
【００４７】
【図１】本発明の工具による操作対象たるＬ型コネクタを示し、（Ａ）は正面図、（Ｂ）は平面図、（Ｃ）は底面図、そして（Ｄ）は側面図である。
【図２】本発明の一実施形態としての工具を示し、（Ａ）は工具全体を示す平面図、（Ｂ）は（Ａ）の工具の抜去操作部を拡大して示す図、（Ｃ）は（Ａ）の工具の保持部を拡大して示す図である。
【図３】図２の工具を用いたＬ型コネクタの抜去操作の前段階を示し、（Ａ）は正面図と同方向から見た図、（Ｂ）は側面図と同方向でケーブル側から見た図である。
【図４】図３に引き続いて行われる抜去操作段階で、（Ａ），（Ｂ），（Ｃ）は抜去が進行している様子を順に、正面図と同じ方向から示している図である。
【図５】図２の工具を用いてＬ型コネクタを相手コネクタに嵌合を行う様子を、側面図と同じ方向から、（Ａ），（Ｂ），（Ｃ），（Ｄ），（Ｅ）の順に示している。
【図６】本発明の他の実施形態の工具を示す斜視図である。
【図７】従来の工具及びＬ型コネクタの抜去の様子を示し、（Ａ）は側面図、（Ｂ）は正面図である。
【符号の説明】
【００４８】
１０  Ｌ型（電気）コネクタ
１１  嵌合筒状部
１２  保護部
１６  肩部
２０  工具
２１  ハンドル部
２３  抜去操作部
２４  脚部
２５  係合部
２６  保持部
２７  フィンガ部
２８  突起
２９  ストッパ部
３０  相手コネクタ
【図１】
0004301449.tif 000002
【図２】
0004301449.tif 000003
【図３】
0004301449.tif 000004
【図４】
0004301449.tif 000005
【図５】
0004301449.tif 000006
【図６】
0004301449.tif 000007
【図７】
0004301449.tif 000008